(57)【要約】      （修正有）【課題】構造が簡単で、ソックスとストッキングとをずれることなく留めて接続することができ、且つ、装着点数および装着の手間も軽減することができる、スポーツストッキングを提供する。【解決手段】つま先２２から足首２４の領域を覆うソックス２０と併用されるスポーツストッキング１０であって、スポーツストッキング１０は、足首２４から脛２６および膝を覆う筒状のストッキング本体１２と、ストッキング本体１２の軸方向の下端側の内周面の少なくとも一部に配設される滑り止め部１８とを含む。【選択図】図２
0003230109.tif 000002
【実用新案登録請求の範囲】
【請求項１】
つま先から足首の領域を覆うソックスと併用されるスポーツストッキングであって、
前記スポーツストッキングは、
足首から脛および膝を覆う筒状のストッキング本体、および
前記ストッキング本体の軸方向の下端側の内周面の少なくとも一部に配設される滑り止め部を含むことを特徴とする、スポーツストッキング。
【請求項２】
前記滑り止め部は弾性樹脂で形成されていることを特徴とする、請求項１に記載のスポーツストッキング。
【請求項３】
前記弾性樹脂は、ポリウレタン、シリコン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、およびアクリロニトリル−ブタジエン−スチレン共重合体およびアクリル系樹脂からなる群から選ばれる１種以上の弾性樹脂で形成されていることを特徴とすることを特徴とする、請求項２に記載のスポーツストッキング。
【請求項４】
前記滑り止め部は、転写、圧着、コーティング、印刷のいずれかにより、前記弾性樹脂が被覆された滑り止め部であることを特徴とする、請求項２または請求項３に記載のスポーツストッキング。
【請求項５】
前記滑り止め部は、凸部および凹部の両方、またはいずれか一方を含むことを特徴とする、請求項１〜請求項４のいずれか１項に記載のスポーツストッキング。
【請求項６】
前記滑り止め部は、ポリウレタン、シリコン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、およびアクリロニトリル−ブタジエン−スチレン共重合体およびアクリル系樹脂からなる群から選ばれる１種以上の弾性糸で編成された滑り止め部を含むことを特徴とする、請求項１に記載のスポーツストッキング。
【請求項７】
前記滑り止め部はシート状の小片に形成され、前記小片は前記ストッキング本体の軸方向の下端側の内周面の少なくとも一部に縫着されたことを特徴とする、請求項１に記載のスポーツストッキング。
【考案の詳細な説明】
【技術分野】
【０００１】
本考案は、つま先から膝にかけて足を収容するソックスと併用して用いられるストッキングに関し、特に、たとえばサッカーおよびラグビーのように激しく動き回ったり、ボールを蹴ったり、選手同士の接触プレーの多いスポーツで用いられて好適なスポーツストッキングに関する。
【背景技術】
【０００２】
本考案の背景となる従来のスポーツソックスには、つま先から足首を覆う足を収容する領域（ソックス部分）と、足首から膝を覆う脚を収容する領域（ストッキング部分）とは一体になっているものが多く見受けられる（例えば、特許文献１を参照。）。
ところが、このようなスポーツソックスは、ソックスを履く選手の運動により、スパイクやシューズ内でソックス部分のつま先側が足のつま先から離れてだぶつき、ソックス部分がつま先側にずれることがある。この場合、つま先から足首を覆う領域に引っ張られ、ソックス部分の足首から膝を覆う領域が足首側にずれるものとなる。
【０００３】
一方、選手がチームユニフォームのチームカラーと違う色のストッキングを自由に着用することができない等のルール上の制約があるときには、当該スポーツソックスのソックス部分とストッキング部分とを足首の位置で切断してテープにより留めることが行われている。この場合、ストッキング部分を残すことでストッキング部分の色をチームカラーと同じにして、当該ストッキング部分と、靴（スパイクやシューズ）との適応性能を考慮した別のソックス部分とをテーピングして接続するものである。
そのため、ソックス部分が別個に形成されたものが商品（ソックス）として市場に供給され、また、ストッキング部分がそれ自体単独で商品（ストッキング）として市場に供給され、セパレートソックスとして、双方が併用されることも見受けられる。この場合、別体のソックスとストッキングとをテーピングにより留めるか、あるいは、ソックスとストッキングとをテーピングの代わりに別個の接続バンドにより留めるなどの方法が採用されている。
【先行技術文献】
【特許文献】
【０００４】
特開２０００−３４５４０４号公報
【考案の概要】
【考案が解決しようとする課題】
【０００５】
しかしながら、試合および練習を行う度ごとにテーピングをする手間が掛かり、テーピングをするにもその都度多くのテープを使用しなくていけない。また、テーピングした場合でも、激しい運動や選手同士の接触プレーおよびボールとの接触によってはテープが緩んだり切断したりして、ソックス部分とストッキング部分とが分離してしまう虞がある。
また、セパレートソックスで別個の接続バンドを用いた場合には、別途、接続バンドを用意する必要があり装着点数が増え、装着する手間もその分手間が掛かる。
【０００６】
それゆえに、本考案の主たる目的は、構造が簡単で、ソックスとストッキングとをずれることなく留めて接続することができ、且つ、装着点数および装着の手間も軽減することができる、スポーツストッキングを提供することである。
【課題を解決するための手段】
【０００７】
請求項１に係る考案は、つま先から足首の領域を覆うソックスと併用されるスポーツストッキングであって、スポーツストッキングは、足首から脛および膝を覆う筒状のストッキング本体と、ストッキング本体の軸方向の下端側の内周面の少なくとも一部に配設される滑り止め部と、を含むことを特徴とする、スポーツストッキングである。
請求項２に係る考案は、請求項１に係る考案に従属する考案であって、滑り止め部は弾性樹脂で形成されていることを特徴とする、スポーツストッキングである。
請求項３に係る考案は、請求項２に係る考案に従属する考案であって、弾性樹脂は、ポリウレタン、シリコン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、およびアクリロニトリル−ブタジエン−スチレン共重合体およびアクリル系樹脂からなる群から選ばれる１種以上の弾性樹脂で形成されていることを特徴とすることを特徴とする、スポーツストッキングである。
請求項４に係る考案は、請求項２または請求項３に係る考案に従属する考案であって、滑り止め部は、転写、圧着、コーティング、印刷のいずれかにより、弾性樹脂が被覆された滑り止め部であることを特徴とする、スポーツストッキングである。
請求項５に係る考案は、請求項１〜請求項４のいずれか１項に係る考案であって、滑り止め部は、凸部および凹部の両方、またはいずれか一方を含むことを特徴とする、スポーツストッキングである。
請求項６に係る考案は、請求項１に係る考案に従属する考案であって、滑り止め部は、ポリウレタン、シリコン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、およびアクリロニトリル−ブタジエン−スチレン共重合体およびアクリル系樹脂からなる群から選ばれる１種以上の弾性糸で編成された滑り止め部を含むことを特徴とする、スポーツストッキングである。
請求項７に係る考案は、請求項１に係る考案に従属する考案であって、滑り止め部はシート状の小片に形成され、小片はストッキング本体の軸方向の下端側の内周面の少なくとも一部に縫着されたことを特徴とする、スポーツストッキングである。
【考案の効果】
【０００８】
本考案によれば、構造が簡単で、ソックスとストッキングとをずれることなく留めて接続することができ、且つ、装着点数および装着の手間も軽減することができる、スポーツストッキングを提供することができる。
【０００９】
本考案の上述の目的、その他の目的、特徴及び利点は、図面を参照して行う以下の考案を実施するための形態の説明から一層明らかとなろう。
【図面の簡単な説明】
【００１０】
【図１】図１の（Ａ）は、本考案に係るスポーツストッキングの一例を示す正面図であり、図１の（Ｂ）は、当該スポーツストッキングの下端側を裏返した状態の正面図である。
【図２】図２の（Ａ）は、図１に示すスポーツストッキングの使用状態の一例を示す斜視図であり、図２の（Ｂ）は、図２の（Ａ）の状態から当該スポーツストッキングの下端側を裏返した状態の斜視図である。
【図３】図２の（Ａ）のＡ−Ａ線断面図である。
【図４】図３のＢ−Ｂ線断面図である。
【考案を実施するための形態】
【００１１】
図１の（Ａ）は、本考案に係るスポーツストッキングの一例を示す正面図であり、図１の（Ｂ）は、当該スポーツストッキングの下端側を裏返した状態の正面図である。また、図２の（Ａ）は、図１に示すスポーツストッキングの使用状態の一例を示す斜視図であり、図２の（Ｂ）は、図２の（Ａ）の状態から当該スポーツストッキングの下端側を裏返した状態の斜視図である。
本考案を実施するための形態に係るスポーツストッキング１０は、図２の（Ａ）に示すように、つま先２２から足首２４の領域を覆うソックス２０と共に併用されるスポーツストッキングである。
本明細書では、便宜上、「足」は足首２４の領域を含んでそれよりつま先２２側の部分を示し、当該足を覆っている部分を「ソックス２０」と称するものとし、また、「脚」は足首２２の領域を含んでそこから脛２６および膝（図示せず）までの部分を示し、当該脚を覆っている部分を本考案の「スポーツストッキング１０」と称するものとする。
【００１２】
このスポーツストッキング１０は、図１および図２に示すように、筒状のストッキング本体１２を含む。ストッキング本体１２は、足首２４から脛２６および膝（図示せず）を覆うものである。ストッキング本体１２は、その軸方向の下端側の内周面の少なくとも一部に、滑り止め部１８が配設されている。図１および図２に示すスポーツストッキング１０では、当該滑り止め部１８がたとえば粘弾性の高い、所謂、摩擦係数の高いシリコン樹脂で形成されている。また、滑り止め部１８は、たとえばシルクスクリーン印刷により横長矩形状で平坦な態様を有するものとなっている。
【００１３】
このスポーツストッキング１０は、特に、図２（Ａ），（Ｂ）に示すように、例えば、先ず、足にソックス２０を履き、次に、脚に当該スポーツトッキング１０を履く。この場合、例えば、スポーツストッキング１０は、そのストッキング本体１２の軸方向の下端側をソックス２０の足首側の部位に被せるようにして履くものである。
【００１４】
このスポーツストッキング１０は、上記した部位に、シリコン樹脂で形成された滑り止め部１８が配設されているので、当該スポーツストッキング１０を履いたときに、特に、たとえば図３および図４に示すように、滑り止め部１８とソックス２０の外面が当接し、当該滑り止め部の摩擦抵抗によりストッキング本体１０の下端側（足首側）とソックス２０の上端側（足首側）との滑りやズレが防止される。したがって、このスポーツストッキング１０とソックス２０とを、滑り止め部１８の滑り止め機能によって、安定した状態で留めておくことができる。
すなわち、このスポーツストッキング１０によれば、構造が簡単で、ソックスとストッキングとをずれることなく留めて接続することができ、且つ、装着点数および装着の手間も軽減することができる。
【００１５】
上述したこの考案を実施するための形態の一例では、滑り止め部１８がシリコン樹脂で形成されたが、それに限定されることはなく、滑り止め部１８は、それ以外の摩擦係数の高い弾性樹脂で形成されてもよい。例えば、滑り止め部１８を形成する弾性樹脂としては、例えば、ポリウレタン、シリコン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、およびアクリロニトリル−ブタジエン−スチレン共重合体およびアクリル系樹脂からなる群から選ばれる１種以上の弾性樹脂で形成されてもよい。
【００１６】
また、上述したこの考案を実施するための形態の一例では、滑り止め部１８がシルクスクリーン印刷加工により形成されたが、それに限定されることはなく、滑り止め部１８は、上記した弾性樹脂を用いて、例えば、転写加工、圧着加工、コーティング加工、シルクスクリーン印刷以外の他の印刷加工のいずれかにより、弾性樹脂が被覆された滑り止め部であってもよい。
【００１７】
さらに、上述したこの考案を実施するための形態の一例では、滑り止め部１８が横長矩形状で平坦な態様を有すものに形成されたが、それに限定されることはなく、滑り止め部１８は、例えば、凸部および凹部の両方、またはいずれか一方を含む態様に形成されていてもよい。この場合、滑り止め部１８の被覆部分の凸部および凹部の平面視の態様としては、線状、点状（ドット状）、矩形状、方形状、円形状、楕円状、三角形状、その他の種々の形状を採用し得るものであり、被覆部分の厚み（高さ）、幅、長さ等の大きさ、硬度なども、それぞれ、変更可能に形成され得るものとなっている。
【００１８】
さらに、滑り止め部１８は、上記した弾性樹脂、例えば、ポリウレタン、シリコン樹脂、ポリ塩化ビニル、ポリアミドエラストマー、ポリエステルエラストマー、ゴム系エラストマー、オレフィン系エラストマー、ポリエチレン、ポリプロピレン、ナイロン、エチレン−酢酸ビニル共重合体、およびアクリロニトリル−ブタジエン−スチレン共重合体およびアクリル系樹脂からなる群から選ばれる１種以上の弾性糸で編成された滑り止め部であってもよい。この場合、弾性糸が摩擦係数（摩擦抵抗）の大きい糸（繊維素材）で形成されているため、当該弾性糸で編成された滑り止め部１８は、グリップ力のあるものとなり、滑り止め効果を発揮するものとなる。
【００１９】
さらに、滑り止め部１８は、シート状の小片を含み、この小片をストッキング本体１２の軸方向の下端側の内周面の少なくとも一部に縫着することによって形成されてもよい。この場合、上記した弾性樹脂が各種の加工方法により小片の一方主面に被覆形成し得るものである。
【００２０】
また、上述したこの考案を実施するための形態の一例では、滑り止め部１８をストッキング本体１２の軸方向の下端側の内周面に配設したが、この滑り止め部１８は、例えば、ストッキング本体１２の軸方向の下端側の外周面に配設してもよい。この場合、ソックス２０の足首側の内周面に、ストッキング本体１２の軸方向の下端側の外周面側を重ね入れるように装着される。すなわち、滑り止め部１８は、ストッキング本体１２の軸方向の下端側の内周面および外周面の両方、またはいずれか一方の少なくとも一部には、滑り止め部が配設されるようにしてもよい。
【００２１】
さらに、この滑り止め部１８は、ソックス２０の方に配設してもよい。すなわち、滑り止め部１８は、つま先２２から足首２４の領域を覆うソックス２０の足首２４側の外周面および内周面の両方、またはいずれか一方の少なくとも一部に配設されてもよい。
この場合、滑り止め部１８を、ソックス２０の口部側（足首側）の外周面の少なくとも一部に配設したとき、スポーツストッキング１０は、そのストッキング本体１２の軸方向の下端側の内周面側がソックス２０の外周面側に被せるように装着される。また、滑り止め部１８を、ソックス２０の口部側（足首側）の内周面の少なくとも一部に滑り止め部１８を配設したとき、ソックス２０は、当該内周面側を、スポーツストッキング１０のストッキング本体１２の軸方向の下端側の外周面側に被せるように装着される。
【００２２】
上述したように、このスポーツストッキング１０とソックス２０を併用した場合、滑り止め部１８は、足首２４から脛２６および膝（図示せず）を覆うスポーツストッキング１０およびソックス２０の両方、またはいずれか一方に配設することができ、当該滑り止め部１８は、ソックス２０の開口部（足首側）の内周面および外周面の両方、またはいずれか一方の少なくとも一部、あるいは、スポーツストッキング１０のストッキング本体１２の軸方向の下端側の内周面および外周面の両方、またはいずれか一方の少なくとも一部に、配設されるものとなる。
【００２３】
さらに、スポーツストッキング１０とソックス２０を併用するときには、滑り止め部１８は、例えば、面ファスナ部、フック・ホック部、ボタン部および剥離可能な両面テープ部を含むことも可能となっている。
【００２４】
すなわち、滑り止め部１８が両面ファスナ部で構成される場合、例えば、一方の面ファスナが、ストッキング本体１２の軸方向の下端側の内周面または外周面の少なくとも一部に配設され、他方の面ファスナが、ソックス２０の口部側（足首側）の外周面または内周面の少なくとも一部に配設される。
【００２５】
同様に、滑り止め部１８がフック・ホック部で構成される場合、例えば、一方のフック部が、ストッキング本体１２の軸方向の下端側の内周面または外周面の少なくとも一部に配設され、他方のホック部が、ソックス２０の口部側（足首側）の外周面または内周面の少なくとも一部に配設される。
【００２６】
同様に、滑り止め部１８がボタン部で構成される合、例えば、一方の雄ボタン部が、ストッキング本体１２の軸方向の下端側の内周面または外周面の少なくとも一部に配設され、他方の雌ボタン部が、ソックス２０の口部側（足首側）の外周面または内周面の少なくとも一部に配設される。
【００２７】
また、滑り止め部１８が剥離可能な両面テープ部で構成される場合、当該剥離可能な両面テープ部は、一方の面ファスナが、ストッキング本体１２の軸方向の下端側の内周面または外周面の少なくとも一部、あるいは、ソックス２０の口部側（足首側）の外周面または内周面の少なくとも一部に配設される。
【００２８】
上述した各実施の形態に係るスポーツストッキング１０によれば、滑り止め部１８の滑り止め作用によって、構造も簡単で、ソックスとストッキングとをずれることなく留めて接続することができ、且つ、装着点数および装着の手間も軽減することができる。
【００２９】
また、当該スポーツストッキング１０によれば、ソックスとストッキングとをずれることなく留めて接続することができるため、スポーツストッキング１０は勿論のこと、別物としてのソックス２０についても、それぞれ最適な生地の使用を可能にし、且つ、それぞれ最適な機能、たとえばストレッチ性、伸縮性、締付け性、通気性、保温性等を有する編成構造とすることができる。特に、このスポーツストッキング１０をサッカーの競技者が装着した場合、一方のスポーツストッキング１０を接触などの衝撃時に脚部分をより確実に保護する編成構造とすることができる。他方、足に履くソックス２０には、球のコントロールがし易いように滑りにくく、必要であれば滑り止め部材を貼り付けたものや、たとえば図２に示すように、足指の微妙な感覚が掴めるよう五本の指が個別に分離した形式のものを採用することができる等の付加的効果を奏するものとなっている。
【符号の説明】
【００３０】
１０  スポーツストッキング
１２  ストッキング本体
１４  レガース部
１６  重ね合わせ部
１８  滑り止め部
２０  ソックス
２２  つま先
２４  足首
２６  脛
【図１】
0003230109.tif 000003
【図２】
0003230109.tif 000004
【図３】
0003230109.tif 000005
【図４】
0003230109.tif 000006